(57)【要約】【課題】踏み板の係止突起に対する係止状態（ロック状態）を確実に現出しながら、且つ、捕獲動物が外に逃亡しようとする際には確実に踏み板の係止状態（ロック状態）が解除されていて、複数の捕獲動物を連続的に導入させながら板状扉の侵入口閉鎖を確実に行なわせることが出来るようにすること。【解決手段】捕獲器の本体１に侵入口２を開閉自在とする開閉機構４を設けた捕獲器において、本体１の底部に踏み板７の後端縁７ａと係止突起８との係止を、侵入する捕獲動物の体重を利用して解除するロック解除機構１１を設け、捕獲動物の逃走に際して前記開閉機構４が確実に作動するように構成した。【選択図】      図１
2005006624.tif 000002
【特許請求の範囲】
【請求項１】
捕獲器の本体１に少なくとも１つの侵入口２を設け、該侵入口２を開閉自在とする開閉機構４を構成するに、板状扉５を、前記侵入口２の幅方向に伸びる水平軸６の回りにシーソー方式で揺動自在に設け、該水平軸６を中心として板状扉５の前端部５ｂ側を長く、後端部５ａ側を短く構成し、該板状扉５の後端縁５ａに踏み板７の前端部７ｂを折曲自在に連結し、前記板状扉５の前端部５ｂの下側に対して附勢作用するようにスプリング１０を設け、前記本体１の底部に係止突起８を設けて前記踏み板７の踏み込み解除時に該踏み板７の後端縁７ａが前記係止突起８よりも上方で、且つ、僅かに係止突起８を越え、前記板状扉５を踏み込んだときに前記踏み板７の後端縁７ａが前記係止突起８よりも前側に位置するように構成し、以って、前記踏み板７の踏み込みによって前記板状扉５を前記水平軸心６の回りに揺動して前記本体１の侵入口２を実質的に閉鎖し、該踏み板７の踏み込み解除によって前記侵入口２を開放するように構成した捕獲器において、
前記本体１の底部に前記踏み板７の後端縁７ａと係止突起８との係止を、侵入する捕獲動物の体重を利用して解除するロック解除機構１１を設け、捕獲動物の逃走に際して前記開閉機構４が確実に作動するように構成した捕獲器。
【請求項２】
前記ロック解除機構１１を、前記侵入口２側から本体１の内部側に伸びる作動板１２から構成し、該作動板１２を、前記係止突起８よりも本体１の内部側に位置させた水平軸心９の回りにシーソー方式で揺動するように構成し、且つ、該ロック解除機構１１の先端部１１ａを前記踏み板７の下側に位置させると共に後端部１１ｂを前記水平軸心９よりも高く位置させた請求項１の捕獲器。
【請求項３】
前記ロック解除機構１１を、前記係止突起８よりも本体１の内部側に位置させた水平軸心９の回りに回動するように構成した作動板１２と、該作動板１２の回動により作動するスイッチＳＷと、該スイッチＳＷにより駆動されるサーボ機構Ｍとからなり、捕獲動物が侵入して前記作動板１２を回動させることによって、前記サーボ機構Ｍが駆動されて前記踏み板７に作用して踏み板７と係止突起８との係止を解除するように構成した請求項１の捕獲器。
【請求項４】
前記ロック解除機構１１を、前記係止突起８よりも本体１の内部側に位置させた光センサー１６と、該光センサー１６の捕獲動物検知により駆動されるサーボ機構Ｍとからなり、捕獲動物が侵入して前記光センサー１６に検知されることによって、前記サーボ機構Ｍが駆動されて前記踏み板７に作用して踏み板７と係止突起８との係止を解除するように構成した請求項１の捕獲器。
【発明の詳細な説明】
【０００１】
【発明の属する分野】
本発明は、ネズミ、イタチ、或いはその他の動物で、作物、食品に害を及ぼし、或いは病原菌を媒介する動物を捕獲し、或いは、狩猟目的で野ウサギ、野犬等を捕獲するのに用いる捕獲器の改良に関する。
【０００２】
【従来の技術】
本発明者は、上述した捕獲器として、特願平５−１６３７６０号（現在特許査定により特許料納付手続中）を提案している。
この発明は、捕獲器の扉の閉鎖を、捕獲動物の逃亡動作により行なうことが出来るようにしたもので、これにより、捕獲器本体に侵入した捕獲動物を連続して複数匹侵入、捕獲可能に出来るに至ったもので、従来の一匹（偶然に複数匹）が侵入してトリガーを作動させてしまって、扉が閉鎖してしまうタイプの持つ欠点を解消したものである。
【０００３】
即ち、この従来型の捕獲器は、捕獲器の本体に少なくとも一つの侵入口を設け、該侵入口を開閉機構により開閉自在とした捕獲器であって、前記開閉機構を構成するに、板状扉を、前記侵入口の幅方向に伸びる水平軸心の回りにシーソー式で揺動自在に設け、該水平軸心を中心として板状扉の前端部側を長く、後端部側を短く構成し、該板状扉後端部に踏み板の前端部を折曲自在に連結し、前記踏み板の後端縁の下側と前記板状扉の前端部の下側とに夫々スプリングを設け、前記本体１の底部に係止突起を設けて前記踏み板の踏み込み解除時に該踏み板の後端縁が前記係止突起よりも上方で、且つ、僅かに係止突起を越え、前期板状扉を踏み込んだときに前記踏み板の後端縁が前記係止突起よりも前側に位置するように構成し、以って、前記踏み板の踏み込みによって前記板状扉を前記水平軸心回りに揺動して前記本体の侵入口を実質的に閉鎖し、該踏み板の踏み込み解除によって前記侵入口を開放するように構成されている。
【０００４】
【発明が解決しようとする課題】
この従来発明の捕獲器は、上述したように、捕獲動物を複数匹捕獲することを可能にしたものであるが、次ぎの問題点があった。
図  に示すのは、従来構成の概略縦断側面図であり、その踏み板７に設けたスプリング１０′は、踏み板７を係止突起８から外すためのものであるが、当初、捕獲動物が侵入してきたときに全体重が板状扉５と踏み板７とにかからなければ（通常、捕獲動物はこうした姿勢にはなると想定されるが）、前記スプリング１０′を圧縮変形させて、前記踏み板７の後端縁７ａを係止突起８の下側に落とし込み、係止させることが難しくなる。
【０００５】
その結果、万一、踏み板７の後端縁７ａが係止突起８に係止されず、係止突起８の上方に位置することになれば、一匹目が侵入してきて踏み板７を踏み込んだときに、踏み板７が中折れして板状扉５を回動させ、以って侵入口２を閉鎖してしまい、或いはその一匹が中に入り切らない状態で板状扉５が作動することで、開閉機構４の誤作動或いはトラブルを招くといった諸々の問題を生じてしまうことになる。
【０００６】
この問題を解消する方法として、前記スプリング１０′を弱いものとすることが考えられるが、この場合、踏み板７の後端縁７ａが係止突起８に係止され易くなるが、反面、捕獲動物が通過した後の踏み板７の上方への復元（係止突起８の上方に出ること）することが難しくなるから、踏み板７の係止突起８に対するロック状態が解除されなくなり、捕獲動物が外に逃げようとして踏み板７に乗っても踏み板７が中折れせず、結果として板状扉５が侵入口２を閉鎖できなくなる。
【０００７】
本発明は、上述した従来技術の持つ問題点を解消し、踏み板の係止突起に対する係止状態（ロック状態）を確実に現出しながら、且つ、捕獲動物が外に逃亡しようとする際には確実に踏み板の係止状態（ロック状態）が解除されていて、複数の捕獲動物を連続的に導入させながら板状扉の侵入口閉鎖を確実に行なわせることが出来るようにすることを目的とする。
【０００７】
【課題を解決するための手段】
本発明にかかる捕獲器は、上記目的を達成するべく、捕獲器の本体１に少なくとも１つの侵入口２を設け、該侵入口２を開閉自在とする開閉機構４を構成するに、板状扉５を、前記侵入口２の幅方向に伸びる水平軸６の回りにシーソー方式で揺動自在に設け、該水平軸６を中心として板状扉５の前端部５ｂ側を長く、後端部５ａ側を短く構成し、該板状扉５の後端縁５ａに踏み板７の前端部７ｂを折曲自在に連結し、前記板状扉５の前端部５ｂの下側に対して附勢作用するようにスプリング１０を設け、前記本体１の底部に係止突起８を設けて前記踏み板７の踏み込み解除時に該踏み板７の後端縁７ａが前記係止突起８よりも上方で、且つ、僅かに係止突起８を越え、前記板状扉５を踏み込んだときに前記踏み板７の後端縁７ａが前記係止突起８よりも前側に位置するように構成し、以って、前記踏み板７の踏み込みによって前記板状扉５を前記水平軸心６の回りに揺動して前記本体１の侵入口２を実質的に閉鎖し、該踏み板７の踏み込み解除によって前記侵入口２を開放するように構成した捕獲器において、前記本体１の底部に前記踏み板７の後端縁７ａと係止突起８との係止を、侵入する捕獲動物の体重を利用して解除するロック解除機構１１を設け、捕獲動物の逃走に際して前記開閉機構４が確実に作動するように構成したことを特徴とする。
【０００８】
本発明に言う捕獲器とは、ネズミ、イタチ、或いはその他の動物で、作物、食品に害を及ぼし、或いは病原菌を媒介する動物を捕獲し、或いは、狩猟目的で野ウサギ、野犬等を捕獲するのに用いるものであり、その本体の構造は、金属板、金網、プラスチック、木製等の適宜の素材乃至その組み合わせで構成できる。
【０００９】
【発明の実施の形態】
本発明においては、前記ロック解除機構１１を、前記侵入口２側から本体１の内部側に伸びる作動板１２から構成し、該作動板１２を、前記係止突起８よりも本体１の内部側に位置させた水平軸心９の回りにシーソー方式で揺動するように構成し、且つ、該ロック解除機構１１の先端部１１ａを前記踏み板７の下側に位置させると共に後端部１１ｂを前記水平軸心９よりも高く位置させるようにすることが好ましい。
【００１０】
また、前記ロック解除機構１１を、前記係止突起８よりも本体１の内部側に位置させた水平軸心９の回りに回動するように構成した作動板１２と、該作動板１２の回動により作動するスイッチＳＷと、該スイッチＳＷにより駆動されるサーボ機構Ｍとからなり、捕獲動物が侵入して前記作動板１２を回動させることによって、前記サーボ機構Ｍが駆動されて前記踏み板７に作用して踏み板７と係止突起８との係止を解除するように構成してもよい。
【００１１】
更に、前記ロック解除機構１１を、前記係止突起８よりも本体１の内部側に位置させた光センサー１６と、該光センサー１６の捕獲動物検知により駆動されるサーボ機構Ｍとからなり、捕獲動物が侵入して前記光センサー１６に検知されることによって、前記サーボ機構Ｍが駆動されて前記踏み板７に作用して踏み板７と係止突起８との係止を解除するように構成してもよい。
してもよい。
【００１２】
【実施例】
以下、本発明にかかる捕獲器の好適実施例について、図面を参照して詳述する。
図１は、本発明にかかる捕獲器の一例を示す全体の斜視図であり、蒲鉾型の本体１を金網で構成し、その両側にトンネル状の通路を形成して侵入口２を設け、この通路に、踏み板７と板状扉５からなる開閉機構４を夫々設けてある。図中Ｆは、餌を示し、また、６は、開閉機構４の板状扉５を揺動させるための水平軸心である。この開閉機構４の設置は、本体１の内部に設けてもよいし、１基だけ設けてもよいことは本発明の目的に照らして明らかなところである。尚、本体１は、全体として通路状に構成したものでもよい。
【００１３】
図２は、捕獲器の要部を示す斜視図であり、前記開閉機構４と、この発明で付加されたロック解除機構１１とを示す。
ここで、更に図３乃至図５をも参照しながら、先ず、前記開閉機構４について詳述すると、前記本体１の侵入口２を開閉自在とする開閉機構４を構成するに、板状扉５を、前記侵入口２の幅方向に伸びる水平軸６の回りにシーソー方式で揺動自在に設け、該水平軸６を中心として板状扉５の前端部５ｂ側を長く、後端部５ａ側を短く構成し、該板状扉５の後端縁５ａに踏み板７の前端部７ｂを折曲自在に連結し、前記板状扉５の前端部５ｂの下側に対して附勢作用するようにスプリング１０（図３参照）を設け、前記本体１の底部に係止突起８を設けて前記踏み板７の踏み込み解除時に該踏み板７の後端縁７ａが前記係止突起８よりも上方で、且つ、僅かに係止突起８を越え、前記板状扉５を踏み込んだときに前記踏み板７の後端縁７ａが前記係止突起８よりも前側に位置するように構成し、以って、前記踏み板７の踏み込みによって前記板状扉５を前記水平軸心６の回りに揺動して前記本体１の侵入口２を実質的に閉鎖し、該踏み板７の踏み込み解除によって前記侵入口２を開放するように構成してある。尚、スプリング１０は、この実施例では板状扉５の下側に固定されているが、本体１の底部に固定されるようにしても良い。
【００１４】
次いで、前記ロック解除機構１１について詳述するに、前記本体１の底部に前記踏み板７の後端縁７ａと係止突起８との係止を、侵入する捕獲動物の体重を利用して解除するロック解除機構１１を設け、以って、捕獲動物の逃走に際して前記開閉機構４が確実に作動するように構成してある。
この実施例では、このロック解除機構１１を、前記侵入口２側から本体１の内部側に伸びる作動板１２から構成し、該作動板１２を、前記係止突起８よりも本体１の内部側に位置させた水平軸心９の回りにシーソー方式で揺動するように構成し、且つ、該ロック解除機構１１の先端部１１ａを前記踏み板７の下側に位置させると共に後端部１１ｂを前記水平軸心９よりも高く位置させてある。  尚、図２、図６において、１４は、係止突起８の邪魔にならないように作動できるようにするためのスリットである。尤も、このスリット構造に代え、作動板１２の先端部１１ａを二股状に形成しても良いし、また、作動版１２全体が板状でなく、フレーム状の構造となっていてもよく、適宜の構造を採用してよい。
【００１５】
次に、図３乃至図４に基づいて作用について述べると、図３に実線で示す状態は、捕獲動物が板状扉５の上に乗り、結果として水平軸６の回りに回動して、踏み板７が下方に落下して（従来のスプリングがないために容易）係止突起８に係止された状態、即ち、捕獲動物の侵入を継続して許容するロック状態である。尚、この状態は、捕獲動物の侵入を待たず、人為的に板状扉５をスプリング１０に抗して押し下げ、前記踏み板７を係止突起８に係止させるようにすることによってより一層確実に現出させることもできる。
【００１６】
図３において破断線で示す状態は、開閉機構のロック解除状態、踏み板７の後端部が係止突起８の上方に位置する状態を示し、この状態は、捕獲動物の外への逃亡を阻止できるように前記開閉機構４が作動可能状態にあることを示す。
この図３の実線の状態においては、前記開閉機構４が踏み板７の中折れをロック状態（水平軸心６、デッドポイントを越えた上膨らみの中折れ、係止突起８）としているので、捕獲動物の連続した侵入を許すものである。
【００１７】
上述したロック解除機構１１は、この実施例では、図６に示す如く、前記作動板１２の後端部１１ｂが前記本体１の内部における障害壁を構成するように所定高さと幅とを有し、捕獲動物（ネズミ）の足がかりとなる開口１３を設けてあり、ここを乗り越えて内部の餌Ｆに到達するものであるから、この作動板１２をその水平軸心９の回りに僅かに回動させることになる。その結果、図４に示す如く、先端部１１ａが踏み板７の下面を押し上げ、踏み板７の後端縁７ａが係止突起８の上方に位置し、ロック状態を解除することになる。この状態において、内方から捕獲動物が外に出ようとして踏み板７に乗ると、図５に示す如く、この踏み板７は中折れ状態となって、板状扉５を起立させ、侵入口２を閉鎖することになるのである。
【００１８】
次に、上述の係止突起８が２段に設けられた開閉機構４の別態様について、図７乃至図９に基づき説明する。
上記実施例においては、捕獲動物が逃走しようとして踏み板７を踏んだ時に、踏み板７が中折れし、板状扉５が侵入口２を閉鎖することになるが、この場合、板状扉５を略垂直に近く起立させる程に踏み板７の後端縁７ａは侵入口２の方に引き付けられ、係止突起８から離れることになり、この踏み込み時にも係止突起８と前記後端縁７ａとを係止させようとすると、前記水平軸心６の位置が設計上難しくなる。
【００１９】
そこで、前記係止突起８として、もう一段の第２係止突起８′を、前記係止突起８よりも侵入口２の側に寄せて設け、上述した踏み込み時に、前記踏み板７の後端縁７ａが前記第２係止突起８′に係止できるようにして、板状扉５の侵入口２の閉鎖状態をロック保持させる。
【００２０】
このような構成の開閉機構４の場合に、上述したロック解除機構１１は、図９に示す状態、即ち、捕獲動物の踏み板７の踏み込み時に、踏み板７の後端縁７ａと第２係止突起８′とが係止する状態を確実に解除させることが出来る。つまり、両者の係止維持（侵入口閉鎖状態のロック）とロック解除（侵入口の開放による後続侵入の許容と再逃亡時の開閉機構４の作動保障）とを行なうことが出来る。
【００２１】
次いで、上記ロック解除機構１１の別態様について説明する。
図１０乃至図１２に示すのは、作動板１２を水平軸心９の回りに回動自在に構成し、この作動板１２の回動により入り切りするスイッチＳＷを設け、このスイッチによりサーボ機構Ｍを作動させて、踏み板７の下方に設けたレバー１５を回動させ、これにより踏み板７のロック状態を解除するように構成されている。
勿論、ロック解除状態のときには、サーボ機構Ｍはフリーの状態にあり、踏み板７に捕獲動物が乗ったときには、そのレバー１５は倒れて踏み板７の中折れを許す構成となっている。
【００２２】
次に、前記ロック解除機構１１の更に別の態様について説明すると、図１３乃至図１５に示すように、ここでは、上記作動板に代えて、係止突起８よりも内部側に光センサー１６を配置し、ここを捕獲動物が通過すると検知して、以って、サーボ機構Ｍを作動させて、踏み板７の下方に設けたレバー１５を回動させ、これにより踏み板７のロック状態を解除するように構成されている。
【００２３】
次に、上記スプリング１０の別の態様について、図１６乃至１８に基づき説明する。
ここでは、前記スプリング１０は、板状扉５に作用するスプリング１０Ａ（上記実施例と同じ機能）と、踏み板７作用するスプリング１０Ｂとで構成し、そのスプリング１０Ｂによって、図１８の踏み板７の中折れ時からの初期位置（図１６）への復元に際して、その踏み板７の裏側を押して復元に寄与する。
【００２４】
次に、上記スプリング１０の更に別の態様について、図１９乃至２１に基づき説明する。
ここでは、上述した２つのスプリング１０Ａ，１０Ｂを１つに統合したものを用いる。即ち、スプリング１０Ｃを側面視でくの字形に構成し、板状扉５の下方の本体１の底部に固定されており、図１９（ロック状態）に示す状態においては、板状扉５に復元力を付与してロック常態を確保するように機能させ、図２０においては、板状扉５を押し上げ、図２１においては、そのくの字の折れ曲がり部が板状扉５の後端部５ａの下側を押圧して、板状扉５の閉鎖状態から図１９の初期状態への復元作用に寄与する。即ち、このスプリング１０は、板状扉５の後端部５ｂの下側と前記踏み板７の下側の両方に作用する形状に構成されているものである。
【００２５】
【発明の効果】
本発明の捕獲器は、踏み板の係止突起に対する係止状態（ロック状態）を確実に現出しながら、且つ、捕獲動物が外に逃亡しようとする際には確実に踏み板の係止状態（ロック状態）が解除されていて、複数の捕獲動物を連続的に導入させながら板状扉の侵入口閉鎖を確実に行なわせることが出来る顕著な効果を奏する。
本発明のその他の具体的な効果は、上記発明の実施の態様の項及び実施例の項において詳述した通りである。
【図面の簡単な説明】
【図１】本発明にかかる捕獲器の全体を示す斜視図である。
【図２】本発明にかかる捕獲器の要部を示す斜視図である。
【図３】本発明にかかる捕獲器の一作用を示す概略縦断側面図である。
【図４】本発明にかかる捕獲器の一作用を示す概略縦断側面図である。
【図５】本発明にかかる捕獲器の一作用を示す概略縦断側面図である。
【図６】本発明にかかる捕獲器のロック解除機構の要部を示す平面図である。
【図７】本発明にかかる捕獲器の開閉機構の別態様の一作用を示す概略縦断側面図である。
【図８】本発明にかかる捕獲器の開閉機構の別態様の一作用を示す概略縦断側面図である。
【図９】本発明にかかる捕獲器の開閉機構の別態様の一作用を示す概略縦断側面図である。
【図１０】本発明にかかる捕獲器の別態様の一作用を示す概略縦断側面図である。
【図１１】本発明にかかる捕獲器の別態様の一作用を示す概略縦断側面図である。
【図１２】本発明にかかる捕獲器の別態様の一作用を示す概略縦断側面図である。
【図１３】本発明にかかる捕獲器の更に別態様の一作用を示す概略縦断側面図である。
【図１４】本発明にかかる捕獲器の更に別態様の一作用を示す概略縦断側面図である。
【図１５】本発明にかかる捕獲器の更に別態様の一作用を示す概略縦断側面図である。
【図１６】本発明にかかる捕獲器の更に別態様の一作用を示す概略縦断側面図である。
【図１７】本発明にかかる捕獲器の更に別態様の一作用を示す概略縦断側面図である。
【図１８】本発明にかかる捕獲器の更に別態様の一作用を示す概略縦断側面図である。
【図１９】本発明にかかる捕獲器の更に別態様の一作用を示す概略縦断側面図である。
【図２０】本発明にかかる捕獲器の更に別態様の一作用を示す概略縦断側面図である。
【図２１】本発明にかかる捕獲器の更に別態様の一作用を示す概略縦断側面図である。
【符号の説明】
１  本体
２  侵入口
４  開閉機構
５  板状扉
５ａ  板状扉の後端部
５ｂ  板状扉の前端部
６  水平軸心
７  踏み板
７ａ  踏み板の後端縁
７ｂ  踏み板の前端部
８  係止突起
９  水平軸心
１０  スプリング
１１  ロック解除機構
１２  作動板
１１ａ  ロック解除機構の先端部
１１ｂ  ロック解除機構の後端部
１６  光センサー
ＳＷ  スイッチ
Ｍ  サーボ機構
【図１】
2005006624.tif 000003
【図２】
2005006624.tif 000004
【図３】
2005006624.tif 000005
【図４】
2005006624.tif 000006
【図５】
2005006624.tif 000007
【図６】
2005006624.tif 000008
【図７】
2005006624.tif 000009
【図８】
2005006624.tif 000010
【図９】
2005006624.tif 000011
【図１０】
2005006624.tif 000012
【図１１】
2005006624.tif 000013
【図１２】
2005006624.tif 000014
【図１３】
2005006624.tif 000015
【図１４】
2005006624.tif 000016
【図１５】
2005006624.tif 000017
【図１６】
2005006624.tif 000018
【図１７】
2005006624.tif 000019
【図１８】
2005006624.tif 000020
【図１９】
2005006624.tif 000021
【図２０】
2005006624.tif 000022
【図２１】
2005006624.tif 000023